(57)【特許請求の範囲】
【請求項１】
ユニット本体の内側を、仕切板により、熱交換器を収容する熱交換室と、送風ファンを収容する送風室とに仕切り、前記送風ファンで吸い込んだ空気を、前記熱交換器で熱交換して吹き出すビルトイン型空気調和装置において、
前記熱交換器が側面視で略くの字に連結される上側熱交換部及び下側熱交換部を備え、
前記熱交換器の下面のドレンパンを底板で覆い、
前記ドレンパンは、前記下側熱交換部の下端部が当接する当接部より前記仕切板側に、底部が一段低くなったドレン溜まりを備え、
前記底板には、前記ユニット本体の長手方向に延出し、前記ドレンパンに当接して、当該ドレンパンを前記当接部の下方から押し上げて支持するビードを設けたことを特徴とするビルトイン型空気調和装置。
【請求項２】
前記ドレンパンは、前記ビードと前記熱交換器間に挟持されることを特徴とする請求項１に記載のビルトイン型空気調和装置。
【請求項３】
前記仕切板に前記ドレンパンの側面上端が当接する位置決め板を設け、
前記底板は、前記位置決め板と前記ドレンパンとの当接部の下方に第２ビードを備え、
前記ドレンパンは、前記第２ビードと前記位置決め板間に挟持されることを特徴とする請求項１又は２に記載のビルトイン型空気調和装置。
【請求項４】
前記熱交換器のくの字の頂点に対向させて前記送風ファンの吹き出し口を設けたことを特徴とする請求項１から３のいずれかに記載のビルトイン型空気調和装置。
【請求項５】
前記送風機は遠心送風機であることを特徴とする請求項１から４のいずれかに記載のビルトイン型空気調和装置。
【発明の詳細な説明】
【技術分野】
【０００１】
本発明は、建物の天井部に設置された室内機を備えるビルトイン型空気調和装置に関する。
【背景技術】
【０００２】
従来より、建物の天井裏空間等の天井部に設置される室内機と、当該室内機に冷媒配管を介して接続される室外機とを備えるビルトイン型空気調和装置が知られている。この種のビルトイン型空気調和装置では、室外機に圧縮機、及び、室外熱交換器を収容し、室内機に室内熱交換器、及び、送風機を収容し、圧縮機、室外熱交換器、及び、室内熱交換器を冷媒配管で接続して冷媒回路を構成すると共に、送風機によって室内熱交換器に送風され、室内熱交換器内を流れる冷媒と熱交換した調和空気を吹出ダクトを介して被調和室に吹き出している（例えば、特許文献１参照）。
【先行技術文献】
【特許文献】
【０００３】
【特許文献１】特開２００２−１６２０６４号公報
【発明の概要】
【発明が解決しようとする課題】
【０００４】
ところで、ビルトイン型空気調和装置の室内機では、ユニットケースの内部を、天板、及び、底板に略垂直に設けられる仕切板で、送風ファンを収容する送風室と、熱交換器を収容する熱交換室とに区分け、熱交換室は、さらに、熱交換器によって熱交換器の上流側の１次側室と、下流側の２次側室とに区分けされている。熱交換室では、熱交換器が通風抵抗となり、１次側室で静圧が高くなる。熱交換室の底部には、熱交換器からのドレン水を受けるドレンパンが底板に支持されて設けられている。熱交換器は、下端部がドレンパンに当接した状態で取り付けられているが、ドレンパンが１次側室での高い静圧によってユニットケース１１の下方に押し下げられて、熱交換器の下端部がドレンパンから浮き上がった状態となる場合がある。熱交換器の下端部がドレンパンから浮き上がった状態となった場合、１次側室の空気が、ドレンパンと熱交換器下端部との間の隙間から２次側室に流れ、熱交換効率が低下するという問題がある。
本発明は、上述した従来の技術が有する課題を解消し、１次側室の静圧によってドレンパンが下方に押し下げられるのを防止したビルトイン型空気調和装置を提供することを目的とする。
【課題を解決するための手段】
【０００５】
上記目的を達成するために、本発明は、ユニット本体の内側を、仕切板により、熱交換器を収容する熱交換室と、送風ファンを収容する送風室とに仕切り、前記送風ファンで吸い込んだ空気を、前記熱交換器で熱交換して吹き出すビルトイン型空気調和装置において、前記熱交換器が側面視で略くの字に連結される上側熱交換部及び下側熱交換部を備え、前記熱交換器の下面のドレンパンを底板で覆い、前記ドレンパンは、前記下側熱交換部の下端部が当接する当接部より前記仕切板側に、底部が一段低くなったドレン溜まりを備え、前記底板には、前記ユニット本体の長手方向に延出し、前記ドレンパンに当接して、当該ドレンパンを前記当接部の下方から押し上げて支持するビードを設けたことを特徴とする。
【０００６】
この構成において、前記ドレンパンは、前記ビードと前記熱交換器間に挟持される構成としても良い。また、前記仕切板に前記ドレンパンの側面上端が当接する位置決め板を設け、前記底板は、前記位置決め板と前記ドレンパンとの当接部の下方に第２ビードを備え、前記ドレンパンは、前記第２ビードと前記位置決め板間に挟持される構成としても良い。また、前記熱交換器のくの字の頂点に対向させて前記送風ファンの吹き出し口を設けた構成としても良い。
【発明の効果】
【０００７】
本発明によれば、ユニット本体の内側を、仕切り板により、熱交換器を収容する熱交換室と、送風ファンを収容する送風室とに仕切り、前記送風ファンで吸い込んだ空気を、前記熱交換器で熱交換して吹き出すビルトイン型空気調和装置において、前記熱交換器の下面のドレンパンを底板で覆い、前記底板には、前記ユニット本体の長手方向に延出し、前記ドレンパンに当接して、当該ドレンパンを下方から押し上げて支持するビードを設けたため、ビードによって底板の強度が向上され底板の変形を防止することができるとともに、ビードがドレンパンをユニット本体１０の内側に固定する補助的役割を果たし、ドレンパンが熱交換室の１次側室側の静圧によって下方に押し下げられるのを防止することができる。
【図面の簡単な説明】
【０００８】
【図１】本発明の実施形態に係るビルトイン型空気調和装置を示す側面図である。
【図２】室内ユニットの外観斜視図である。
【図３】室内ユニットを下面側から視た外観斜視図である。
【図４】室内ユニットの内部構成を示す図である。
【図５】室内ユニットの断面図である。
【図６】熱交換室の断面図である。
【図７】室内熱交換ユニットの斜視図である。
【図８】一方側固定部材の斜視図である。
【図９】他方側固定部材を示す図であり、（Ａ）は他方側固定部材の正面図、（Ｂ）は、他方側固定部材を室内熱交換器に取り付けた状態を示す正面図である。
【図１０】室内熱交換ユニットを取り外す際の室内ユニットの配管引出側を示す斜視図である。
【図１１】ポンプユニットを示す斜視図である。
【発明を実施するための形態】
【０００９】
以下、図面を参照して本発明の実施形態について説明する。
本発明を適用した実施形態に係るビルトイン型空気調和装置１は、不図示の室外ユニットと、室外ユニットに冷媒配管で接続された室内ユニット５と、から構成される。図示は省略したが、室外ユニットは、建物の屋上等の屋外に配設され、室外空気と熱交換して冷房運転時には冷媒を凝縮させて外気に熱を放出し、暖房運転時には冷媒を蒸発させて外気から熱を取り込むものである。ビルトイン型空気調和装置１は、この冷媒を室外ユニットと、室内ユニット５の室内熱交換器（熱交換器）６０との間で循環させて、被調和室２の空気調和を行う。
【００１０】
室内ユニット５は、図１に示したように、建物３１の天井３２と天井板３３との間の天井裏空間３４内に懸吊して配設され、室内熱交換器（熱交換器）６０と、室内熱交換器６０に送風する送風ファン５０を収容して構成されるユニット本体１０と、ユニット本体１０から天井板３３に延びる吸込みダクト５３、及び、吹出ダクト５４とを有して構成される。
ユニット本体１０のユニットケース１１は、天板１２、底板１３、側板１４Ａ，１４Ｂ、吸込側パネル１５、及び、吹出側パネル（前板）１６を備え、略矩形に形成される。ユニットケース１１は、側板１４Ａ，１４Ｂに固定された複数の吊金具４１を備える。ユニット本体１０は、これらの吊金具４１を天井３２から垂下された吊ボルト４２に止着させて、天井裏空間３４内に懸吊される。天井板３３には、適宜の位置に、特に、ユニット本体１０の真下近傍に、着脱自在の天井パネル３５が取り付けられ、この天井パネル３５を取り外すことで、被調和室２側から、室内ユニット５の各種メンテナンスを行うことができる。
【００１１】
ユニットケース１１は、一対の対向する側面に配置された吸込側パネル１５、及び、吹出側パネル１６を備え、送風ファン５０の上流側に配置された吸込側パネル１５に形成された吸込口１７と、室内熱交換器６０の下流側に配置された吹出側パネル１６に形成された吹出口１８とを有している。天井板３３の適宜位置には、被調和室２内と天井裏空間３４とを連通させる吸気口５１と、給気口５２とが設けられる。ユニットケース１１の吸込口１７と、天井板３３の吸気口５１とは、吸込みダクト５３で接続される。また、ユニットケース１１の吹出口１８と、天井板３３の給気口５２とは、吹出ダクト５４で接続される。
【００１２】
室内ユニット５は、送風ファン５０の駆動により、被調和室２内の空気を吸気口５１、吸込みダクト５３、吸込口１７を介してユニット本体１０内に吸い込み、吸い込んだ空気を室内熱交換器６０に送風して室内熱交換器６０内を流れる冷媒と熱交換をさせ、調和空気を、吹出口１８、吹出ダクト５４、給気口５２を介して、被調和室２内に供給する。つまり、室内ユニット５は、被調和室２の空気を吸い込んで、室内熱交換器６０内を流れる冷媒と熱交換させた調和空気を再び被調和室２に吹出している。
【００１３】
図２に示すように、ユニットケース１１の、一方側の側面を形成する側板１４Ａには、メンテナンスパネル５６と、ポンプユニット７５と、蓋体（配管押さえ）６８とが着脱自在に取り付けられている。メンテナンスパネル５６は、ユニットケース１１内に収容された不図示の電装ユニットのメンテナンスを行うために側板１４Ａに設けられたメンテナンス用開口を塞ぐように側板１４Ａに取り付けられる。ポンプユニット７５は、後述するドレンパン７０からドレン水をくみ上げるドレンポンプ７８と、ドレンポンプ７８の固定具７９とで構成され、側板１４Ａに設けられたポンプ取付用開口７５Ａを介してドレンポンプ７８をユニットケース１１内に収容すると共に、固定具７９でこのポンプ取付用開口７５Ａを塞ぐようにして側板１４Ａに取り付けられる。蓋体６８は、室内熱交換器６０に接続され、側板１４Ａを切欠き６８Ｃを介して貫通する補助冷媒管６７を押さえるために配設される。また、側板１４Ａに蓋体６８を取り付けたときには、側板１４Ａに形成された切欠き６８Ｃを塞ぐように構成されている。
【００１４】
このように、ユニットケース１１の側板１４Ａ側に、電装ユニットと、ドレンポンプ７８と、補助冷媒管６７と、をまとめて配置したため、ユニット本体１０のメンテナンス性を向上することができる。
ポンプユニット７５の下方には、側板１４Ａを下方に開口するように切り欠いたドレン配管用切欠き１９が設けられる。このドレン配管用切欠き１９には、ドレン配管押さえ７６が、ドレン配管用切欠き１９に着脱自在に嵌合されて備えられている。ドレン配管押さえ７６には、ドレン排水管７７が貫通する孔７６Ａ（図１０参照）が設けられ、後述するドレンパン７０に接続されたドレン排水管７７は、この孔７６Ａから突出し配設されている。例えばユニット本体１０のメンテナンス時に、ドレンパン７０内に残存しているドレン水を排出させるときには、このドレン排水管７７を介してドレン水をユニット本体１０の外部に排出させることができる。
【００１５】
吹出側パネル１６には、吹出口１８の両側方外側に上下に並べてねじ孔６９Ａ，６９Ａが形成されている。天板１２には、ねじ孔６９Ａとユニットケース１１のユニット幅Ｗ方向の略同じ位置に、ねじ孔６９Ｂ，６９Ｂが形成されている。これらの各ねじ孔６９Ａ，６９Ｂには、詳述については後述するが、室内熱交換器６０をユニットケース１１に固定するためのねじ４（図５参照）が螺合される。
【００１６】
ユニット本体１０内では、吸込口１７から吸い込まれた空気は、ユニットケース１１の奥行Ｌ方向に沿って吹出口１８に向かって流れ、室外ユニット間で循環する冷媒は、この空気の流れとは略直行し、ユニットケース１１のユニット幅Ｗ方向に沿って流れるように構成されている。
【００１７】
図３に示すように、底板１３は、ユニットケース１１の奥行Ｌ方向に、２分割され、吸込口１７側の送風室側底板１３Ｂと、吹出口１８側の熱交換室側底板１３Ａとから構成される。熱交換室側底板１３Ａには、ユニットケース１１の奥行Ｌ方向の所定の位置に、ユニットケース１１の幅方向（長手方向）に延出する第１ビード７１、及び、第２ビード７２が形成される。ビード７１，７２は、第１ビード７１のように連続した一本のビードであっても良いし、或いは、第２ビード７２のように、複数本に分割して形成されていても良い。底板１３は、金属製の薄い板状部材から形成され、ビード７１，７２は、この板状部材にプレス加工等を施して形成される。各ビード７１，７２の長さ、形成する位置、及び、形成する数は、底板１３の大きさ、形状、厚みに対して適宜に変更可能である。ユニットケース１１の奥行Ｌの寸法は、室内ユニット５の出力によって適宜に変更可能であり、奥行Ｌ寸法の小さなユニットケース１１では、底板１３も短くなり、この場合、例えば、ビード７１，７２は、同じ長さで、ユニットケース１１の幅Ｗ方向いっぱいに設けられている構成であっても良い。熱交換室側底板１３Ａは、ビード７１，７２を備えるため、強度が向上される。
【００１８】
図４は、ユニットケース１１から、天板１２を取り外した図である。ユニットケース１１の内部は、図４に示すように、天板１２、及び、底板１３に略垂直に設けられた仕切板５５で、送風ファン５０を収容する送風室Ｒ１と、室内熱交換器６０を収容する熱交換室Ｒ２とに区分けされる。仕切板５５は金属の板材などで形成される。
【００１９】
送風ファン５０には、遠心送風ファンであるシロッコファンが用いられる。送風ファン５０は、多数の羽根を備えた筒状のファン本体５０Ａが、ファンケース５０Ｂに収容され、ファン本体５０Ａの軸方向に延びるモータ軸５０Ｃが、ファンモータ２０に連結され、このファンモータ２０の駆動によってファン本体５０Ａが回転する。送風室Ｒ１に収容される送風ファン５０の数は、ユニットケース１１の寸法（室内ユニット５の出力容量）に合わせて適宜に変更可能である。また、本実施形態では、送風室Ｒ１には、複数の送風ファン５０が一本のモータ軸５０Ｃによって連結されて備えられ、単一のファンモータ２０でこれらの複数の送風ファン５０が同様に回転駆動するが、これに限らず、複数の送風ファン５０のそれぞれがファンモータ２０を備える構成であっても良い。仕切板５５には開口５５Ａが設けられ、送風ファン５０の送風口（吹き出し口）５０Ｄは開口５５Ａに接続されて熱交換室Ｒ２側に露出している。
【００２０】
室内熱交換器６０は、図５に示すように、平板状の上側熱交換部６１と、下側熱交換部６２とを含み、これらの上側熱交換部６１と、下側熱交換部６２とが、側面視で略くの字状に組み合わせて連結されている。この構成によれば、室内熱交換器６０は、平板状の２つの熱交換部６１，６２を側面視で略くの字状に連結させて構成されているため、平板状の熱交換器を縦置きに配置する場合に比べて、熱交換器の高さを低く抑えて、且つ、熱交換面積を広くすることができる。
【００２１】
上側熱交換部６１、下側熱交換部６２は、ともに、フィン・アンド・チューブ型の熱交換器であり、通風方向に延びる一対の管板と、管板間に互いに間隔を開けて配置される複数のフィン板と、これらフィン板を貫通する複数のチューブを備えて構成されている。チューブは、前後に複数列（本実施形態では３列）、上下に複数段に並べられて、各チューブの端に設けられたＵ字部（Ｕベント）によって１本の冷媒配管として連結されている。
【００２２】
上側熱交換部６１は、上端部６１Ｃが天板１２の下面傍らまで延在し、下側熱交換部６２は、下端部６２Ｃが後述するドレンパン７０と当接し、これによって、熱交換室Ｒ２は、室内熱交換器６０によって、室内熱交換器６０の上流側の１次側室６５Ａと、室内熱交換器６０の下流側の２次側室６５Ｂとに区分けされる。また、上側熱交換部６１および下側熱交換部６２は、同じ幅で形成されて、ユニット幅Ｗの略一杯に収容されている。
【００２３】
上側熱交換部６１と、下側熱交換部６２とは、下側熱交換部６２の１次側室６５Ａに対向する、空気の流入側面６２Ａの上に、上側熱交換部６１の下端部（下端）６１Ａが乗り上げ、重ねた状態で配置されている。上側熱交換部６１と、下側熱交換部６２とは、このように、下側熱交換部６２の空気の流入側面６２Ａ上に、上側熱交換部６１の下端部６１Ａを重ねて、互いに略直角に、側面視で略くの字状に連結される。つまり、室内熱交換器６０のくの字の頂点６０Ａは、下側熱交換部６２の上端部６２Ｂの吹出口１８側角部で形成される。また、上側熱交換部６１は、下側熱交換部６２の上端部６２Ｂよりも送風ファン５０側、つまり、１次側室６５Ａ側に寄せて配置され、上側熱交換部６１の空気の流出側面６１Ｂと、下側熱交換部６２の上端部６２Ｂとの間には、段差６０Ｃが形成される。
【００２４】
上側熱交換部６１で発生し、自重で流出側面６１Ｂを伝って流れる結露水等のドレン水は、上側熱交換部６１の空気の流出側面６１Ｂと、下側熱交換部６２の上端部６２Ｂとの間に形成された段差６０Ｃで受け止められて、下側熱交換部６２の表面を伝って流れる。これにより、上側熱交換部６１で発生したドレン水が、上側熱交換部６１と、下側熱交換部６２との連結部６０Ｂから飛散するのを防止することができる。
【００２５】
送風ファン５０は、送風口５０Ｄからの吹き出し方向が上側熱交換部６１と、下側熱交換部６２との連結部６０Ｂに向かうように、送風口５０Ｄが斜め下向きに設けられるように配置される。室内熱交換器６０は、上側熱交換部６１のチューブ段数が６段に構成され、下側熱交換部６２のチューブ段数が１０段に構成される。つまり、上側熱交換部６１と、下側熱交換部６２とは、同じ厚さ、同じ幅で形成され、かつ、下側熱交換部６２の熱交換面積が、上側熱交換部６１の熱交換面積よりも大きく形成されている。これにより、送風ファン５０の吹出し方向が下向きで、かつ、下側熱交換部６２の熱交換面積が大きく形成されているため、上側熱交換部６１と、下側熱交換部６２とを通る空気の量をそれぞれ略同じにすることができ、上側熱交換部６１と、下側熱交換部６２との熱交換面内での温度差を小さくして、室内熱交換器６０内での熱交換効率の均一化を図ることができる。
【００２６】
室内熱交換器６０は、くの字の開放側が図４に示したように、送風ファン５０の送風口５０Ｄに対向する向きで配置される構成であっても良いし、或いは、図示は省略したが、くの字の頂点側が送風ファン５０の送風口５０Ｄに対向する向きで配置される構成であっても良い。熱交換器６０は、下側熱交換部６２の水平方向に対する傾きαが３７度より小さくならないように配置される。下側熱交換部６２の水平方向に対する傾き角度を３７度以上とすることにより、ドレン水が下側熱交換部６２を伝って流れにくくなるのを防止することができ、熱交換器６０の熱交換能力がドレン水の付着により低下するのを防止することができる。
【００２７】
室内熱交換器６０の下方には、室内熱交換器６０のドレン水を受けるドレンパン７０が配置される。ドレンパン７０は、熱交換室Ｒ２の底面一杯を覆い、底板１３に支持される。ドレンパン７０は、発砲スチロール製であり、室内熱交換器６０のドレン水を受ける内側は防水、防カビのために、樹脂シート等で覆われる。これにより、ドレンパン７０を軽量化することができる。ドレンパン７０には、底部が一段低くなったドレン溜まり７０Ａが形成され、このドレン溜まり７０Ａには、図示は省略したが、ドレンポンプ７８の吸込み口が配置されている。
【００２８】
また、ドレンパン７０には、下側熱交換部６２の下端部６２Ｃが当接する当接部７３が形成される。この当接部７３には、図示は省略したが、緩衝材がドレンパン７０の幅方向に略一杯に延在している構成であっても良い。
底板１３は、送風室Ｒ１側の底面を覆う送風室側底板１３Ｂと、熱交換室Ｒ２側の底面を覆う熱交換室側底板１３Ａとに分割されている。ドレンパン７０は、熱交換室側底板１３Ａを取り外すことで、ユニットケース１１から着脱自在に備えられる。ドレンパン７０は、４側面が底面に対して立ち上がった箱形状に形成される。仕切板５５、及び、吹出側パネル１６の熱交換室Ｒ２側の面には、ドレンパン７０の側面上端が当接する位置決め板７４Ａがユニットケース１１の幅方向に所定間隔を空けて複数設けられている。つまり、ドレンパン７０は、位置決め板７４Ａ，７５と、熱交換室側底板１３Ａとの間に挟まれた状態で保持される。このように、ドレンパン７０は、熱交換室側底板１３Ａに支持されてユニットケース１１内に収容されるため、熱交換室側底板１３Ａを取り外して、ユニットケース１１の底面側から容易に脱着させることができる。
【００２９】
熱交換室側底板１３Ａには、図６に示したように、上述したビード７１，７２が形成されている。ビード７１，７２は、仕切板５５と熱交換器６０との間の１次側室６５Ａの下方に位置する。第１ビード７１は、下側熱交換部６２の下端部６２Ｃと、ドレンパン７０とが当接する当接部７３の下方に位置する。つまり、ユニットケース１１に室内熱交換器６０、ドレンパン７０、及び、熱交換室側底板１３Ａを取り付けた状態で、下側熱交換部６２の下端部６２Ｃと、ドレンパン７０と、が当接する当接部７３、及び、熱交換室側底板１３Ａの第１ビード７１が、上下方向に並ぶように構成されている。
第２ビード７２は、ドレンパン７０の側面上端７０Ａと、仕切板５５に取り付けられた位置決め板７４Ａと、が当接する位置の下方に設けられる。つまり、ユニットケース１１にドレンパン７０と、熱交換室側底板１３Ａとを取り付けた状態で、仕切板５５に取り付けられた位置決め板７４Ａと、ドレンパン７０の側面上端７０Ａと、が当接する当接部、及び、第２ビード７２と、上下方向に並ぶように構成されている。
【００３０】
仕切板５５は、上側仕切板５５Ｂと、下側仕切板５５Ｃとから構成される。下側仕切板５５Ｃは、一枚の板が略Ｌ字状に折り曲げられて、上側仕切板５５Ｂに接着される接続部７４Ｂと、ユニットケース１１の底面の一部を形成する底板部７４Ｃと、を一体に備えるように形成される、備える。また、下側仕切板５５Ｃには、位置決め板７４Ａが一体に形成されている。位置決め板７４Ａは、接続部７４Ｂの上部に、ユニットケース１１の幅方向に所定間隔を空けて複数設けられた延出部位を、接続部７４Ｂに対して略直角に、底板部７４Ｃとは逆方向に折り曲げて形成される。
【００３１】
熱交換室側底板１３Ａは、ユニットケース１１の奥行Ｌ方向の一方側が、仕切板５５よりも送風室Ｒ１側に延出している。熱交換室側底板１３Ａは、この一方側が底面側から下側仕切板５５Ｃの底板部７４Ｃに、ユニットケース１１の幅方向に所定間隔を空けて複数箇所、ねじ３でねじ留めされて固定される。
前板１６は、断面視略コ字状に上下をユニットケース１１の内側に折り曲げて、天部１６Ａ、及び、底部１６Ｂが形成される。底部１６Ｂには、熱交換室側底板１３Ａの他方側が、底面側からユニットケース１１の幅方向に所定間隔を空けて複数箇所、ねじ３でねじ留めされて固定される。このように、熱交換室側底板１３Ａは、ユニットケース１１の底面側から底部１６Ｂ、及び、底板部７４Ｃに、幅方向の両端部を押し当てた状態で、ねじ３でねじ留めされているため、天井パネル３５を取り外した被調和室２側からでも容易に取り外すことができ、熱交換室Ｒ２のメンテナンス性を向上することができる。
天部１６Ａには、天板１２がねじで固定されて、室内熱交換器６０の上端６０Ｄと、天板１２との間には、２次側室６５の上面を覆う発泡材等によって形成された断熱材２１が取り付けられる。
【００３２】
ところで、熱交換室Ｒ２内では、室内熱交換器６０が通風抵抗となるため、１次側室６５Ａ内で静圧が高くなる。この１次側室６５Ａで、ドレンパン７０は、下側熱交換部６２の下端部６２Ｃと第１ビード７１の間、及び、位置決め板７４Ａと第２ビード７２の間に挟持される。これによって、ビード７１，７２は、ドレンパン７０を補助的に固定する役割をはたし、簡単な構成で、ドレンパン７０が１次側室６５Ａ側の静圧によって浮き上がるのを防止することができる。
【００３３】
室内熱交換器６０の幅方向の両幅端部には、図７に示すように、一端側固定部材６３Ａと、他端側固定部材６３Ｂがそれぞれ取り付けられている。固定部材６３Ａ，６３Ｂは、樹脂により成形され、固定部材６３Ａ，６３Ｂ間に室内熱交換器６０を挟み込みようにして、室内熱交換器６０と一体に固定される。
室内熱交換器６０の一端部には、一端側固定部材６３Ａが固定される。室内熱交換器６０の一端部には、この一端部に取り付けられた管板と一体に形成され、上側熱交換部６１の上端部６１Ｃと、上側熱交換部６１及び下側熱交換部６２の空気の流出側面６１Ｂ，６２Ａとへ延出する固定部８が設けられる（図６参照）。一端側固定部材６３Ａは、この固定部８に、ねじ８ａで螺合されて、室内熱交換器６０に固定される。
【００３４】
図８は、一端側固定部材６３Ａを、図７中に示した矢印方向から視た図である。一端側固定部材６３Ａには、図８に示すように、室内熱交換器６０の管板から突出するＵベントが挿入される複数のベント孔８１が形成される。各ベント孔８１は、管板から突出するＵベントの位置に対応付けて形成され、一端側固定部材６３Ａは、各ベント孔８１にＵベントを挿入することで、位置決めされて、上述したように固定部８をねじ留めすることで、簡単に室内熱交換器６０に取り付けることができる。ベント孔８１には、外周に沿って周壁８１Ａが形成される。周壁８１Ａは、ベント孔８１に挿入されるＵベントの高さと略同じ高さに形成される。また、一端側固定部材６３Ａの幅Ｗ２は、ベント孔８１に挿入されるＵベントの高さと略同じに形成される。周壁８１Ａ、及び、一端側固定部材６３Ａにより、管板から突出するＵベントの周囲を囲み、室内熱交換器６０をユニットケース１１から着脱する際に、Ｕベントが他の部材にぶつかるのを防ぐことができる。また、各ベント孔８１にＵベントを挿入することで、一端側固定部材６３Ａを室内熱交換器６０に対して、位置決め、及び、仮固定することができ、固定部材６３を容易に室内熱交換器６０に一体に固定することができる。
【００３５】
室内熱交換器６０の他端側には、図７に示すように、他端側固定部材６３Ｂが取り付けられる。他端側固定部材６３Ｂからは、室内熱交換器６０を、ガス管、及び、液管に接続するための補助冷媒管６７が延出している。補助冷媒管６７は、ガス管への接続用であるガス管用補助冷媒管６７Ａと、液管への接続用である液管用補助冷媒管６７Ｂとから構成される。補助冷媒管６７は、他端側固定部材６３Ｂ側にまとめられており、室内熱交換器６０から一端側固定部材６３Ａの外側には突出する部材が無いように構成されている。
【００３６】
他端側固定部材６３Ｂは、図９（Ａ）、図９（Ｂ）に示すように、上側熱交換部６１及び下側熱交換部６２の空気の流出側面６１Ｂ，６２Ａに沿って、略くの字に形成された溝２５を有する。溝２５には、凹部２６が形成され、凹部２６には、管板９を固定するねじ７が螺合されるねじ孔２６Ａが設けられる。他端側固定部材６３Ｂは、上側熱交換部６１及び下側熱交換部６２の空気の流出側面６１Ｂ，６２Ａに溝２５を沿うようにして、室内熱交換器６０の２次側から管板９に固定される。管板９には、管板９に一体に形成され、管板９から延出する板材９Ａを備える。板材９Ａは、溝２５に形成された凹部２６に挿入される。板材９Ａと、凹部２６とは、ねじ７で螺合されて、他端側固定部材６３Ｂが、室内熱交換器６０と一体に固定される。このように、他端側固定部材６３Ｂは、室内熱交換器６０の２次側に管板９に沿って溝２５を備えるため、室内熱交換器６０に接続される補助冷媒管６７に干渉することなく取り付けることができる。
このようにして、室内熱交換器６０と、固定部材６３Ａ，６３Ｂと、補助冷媒管６７とは、室内熱交換ユニット８０として一体化され、室内熱交換ユニット８０は、ユニットケース１１に一体に着脱自在に取付けられる。
【００３７】
固定部材６３Ａ，６３Ｂには、図７、図８、図９に示すように、室内熱交換ユニット８０をユニットケース１１にねじで固定するためのねじ孔６４Ａ，６４Ｂが形成されている。ねじ孔６４Ａは、ユニットケース１１の天板１２に形成されたねじ孔６９Ｂに対応する位置に設けられ、これらのねじ孔６９Ｂ、及び、ねじ孔６４Ａをねじで螺合して、室内熱交換ユニット８０は、ユニットケース１１の天板１２に固定される。ねじ孔６４Ａは、一端側固定部材６３Ａに設けられたように、一端側固定部材６３Ａに一体に形成されていても良いし、或いは、他端側固定部材６３Ｂに設けられたように、他端側固定部材６３Ｂに一体に固定される金属製のブラケット等に形成されていても良い。固定部材６３Ａ，６３Ｂには、ねじ孔６４Ｂが内部に形成されるボス部６４Ｃが備えられ、ボス部６４Ｃの内側には、ねじ孔６４Ａを介してねじが螺合されるねじ山がきられている。
【００３８】
ねじ孔６４Ｂは、ユニットケース１１の吹出側パネル１６に形成されたねじ孔６９Ａに対応する位置に設けられる。ねじ孔６９Ａは、室内熱交換器６０と略同じ幅に形成された吹出口１８の近傍に上下に並べて複数設けられ、これらのねじ孔６９Ａ、及び、ねじ孔６４Ｂをねじで螺合して、室内熱交換ユニット８０は、ユニットケース１１の吹出側パネル１６に固定される。
このように固定部材６３Ａ，６３Ｂは、熱交換室Ｒ２において、室内熱交換器６０の両側面側から、室内熱交換器６０の上流側の１次側室６５Ａと、２次側室６５Ｂとを仕切る役割を果たす。また、固定部材６３Ａ，６３Ｂは、断熱性に優れた樹脂材により形成されるため、固定部材６３Ａ，６３Ｂには、断熱材を貼りつけることなく、２次側室６５Ｂと、１次側室６５Ａとを断熱することができる。
【００３９】
室内熱交換ユニット８０は、幅方向の両側端部に取り付けた固定部材６３Ａ，６３Ｂに設けたねじ孔６４Ａ，６４Ｂを用いて、天板１２、と、吹出側パネル１６とに固定されて、ユニット本体１０の内側に固定することができる。これにより、固定部材６３Ａ，６３Ｂは、室内熱交換器６０の両側面側で１次側室６５Ａと２次側室６５Ｂとを仕切る役割を果たすとともに、室内熱交換器６０をユニット本体１０内に固定する役割を果たすため、例えば、仕切板５５に室内熱交換器６０を固定するための固定具を設けて、室内熱交換器６０をユニット本体１０の内側に固定する場合にくらべて、部品点数の削減と、取付作業性の向上を図ることができる。また、室内熱交換器６０から送風ファン５０側への固定具の飛び出しがなく、熱交換室Ｒ２の１次側室６５Ａでの通風抵抗を低減させることができる。
【００４０】
また、室内熱交換器６０の一端側に取り付けられる一端側固定部材６３Ａに、管板から突出するＵベントが挿入されるベント孔８１を設け、室内熱交換器６０の他端側に取り付けられる他端側固定部材６３Ｂは、管板９の２次側形状に沿った形状に形成された溝２５を備えるため、室内熱交換器６０の両端から外側に突出する部材と干渉することなく、室内熱交換器６０を両端側から挟み込むようにして固定部材６３Ａ，６３Ｂを取り付けることができる。このように、互いに異なる形状に形成された一対の固定部材６３Ａ，６３Ｂとを用いて、室内熱交換器６０を、室内熱交換器６０に接続される補助冷媒管６７と一体にユニット本体１０内に着脱自在に備えることができ、室内熱交換器６０のメンテナンス性が向上する。室内熱交換ユニット８０は、詳細については後述するが、図１０に示した下方開口部４０から熱交換室Ｒ２内に挿入可能に備えられる。
【００４１】
図１０は、熱交換室側底板１３Ａ、及び、ドレンパン７０を取り外した状態のユニット本体１０を斜め下側から視た図である。このようにユニットケース１１の下面には、熱交換室側底板１３Ａ、及び、ドレンパン７０を取り外すことで、熱交換室Ｒ２の底全体に亘る下方開口部（開口部）８１が形成される。
側板１４Ａには、蓋体（配管おさえ）６８と、ドレンポンプを固定する固定具７９と、内部に収容される電装ユニット用のメンテナンスパネル５６とが、それぞれ別体に形成されて、着脱自在に取り付けられている。図１０は、説明の便宜上、蓋体６８をユニットケース１１から取り外している状態を示している。
【００４２】
ユニットケース１１の側板１４Ａには、蓋体６８が取り付けられる切欠き６８Ｃが設けられる。切欠き６８Ｃは、ユニットケース１１の下方に開口し、下方開口部４０と連通するように形成される。室内熱交換器６０から側板１４Ａの外方に突出する補助冷媒管６７は、この切欠き６８Ｃを介して、室内熱交換器６０と一体に下方開口部４０から熱交換室Ｒ２内に挿入される。側板１４Ａには、切欠き６８Ｃに、補助冷媒配管が挿入可能に下方を開口する逆Ｕ字溝６６Ａ，６６Ｂを備えている。つまり、切欠き６８Ｃは、各逆Ｕ字溝６６Ａ，６６Ｂが補助冷媒管６７に対応する位置に配置されるように形成されている。
【００４３】
蓋体６８は、この逆Ｕ字溝６６Ａ，６６Ｂに対応する位置に設けられた上方に開口するＵ字溝６８Ａ，６８Ｂを備える。蓋体６８は、側板１４Ａの切欠き６８Ｃを塞ぎ、蓋体６８の下部に設けられたねじ孔６８Ｄ，６８Ｄに挿入される不図字のねじで、側板１４Ａに固定される。蓋体６８には、ねじ孔６８Ｄ，６８Ｄの上方に、蓋体６８の長さ寸法Ｌ２に亘る取っ手６８Ｅが形成され、この取っ手６８Ｅを手で押さえて、蓋体６８を側板１４Ａから着脱させることができる。側板１４Ａに蓋体６８を取り付けたときには、蓋体６８のＵ字溝６８Ａ，６８Ｂと、側板１４Ａの逆Ｕ字溝６６Ａ，６６Ｂとの協働により、補助冷媒管６７が側板１４Ａに保持される。
【００４４】
また、蓋体６８には、Ｕ字溝６８Ｂと、取っ手６８Ｅの間に注水用開口８５形成される。注水用開口８５は、通常は、蓋体６８にねじ等で固定される蓋８６で閉封されている。ユニット本体１０の取り付け時等、ユニット本体１０内でのドレン水の流れを確認する際には、この注水用開口８５から蓋８６を取り外し、注水用開口８５を介して熱交換室Ｒ２内に注水を行ってドレン水の流れを確認する。
【００４５】
蓋体６８は、ユニットケース１１の側板１４Ａにねじ等によって固定され、これらのねじを取り外して、ユニットケース１１から下方に取り外すことができる。蓋体６８を側板１４Ａから取り外すことで、切欠き６８Ｃは、下方開口部４０と連通する。これにより、ユニットケース１１には、室内熱交換ユニット８０から補助冷媒管６７を取り外すことなく室内熱交換ユニット８０をユニットケース１１から下方に引き出して取り外すことができるように底面側が開放される。
【００４６】
室内熱交換ユニット８０を取り外す際には、まず、ビルトイン型空気調和装置１のポンプダウン運転を行い、図示は省略したが、室外ユニット、或いは、冷媒回収機に室内熱交換器６０内の冷媒を全て回収して、バルブを閉じ、室内熱交換器６０を冷媒回路から断絶する。次に、天井パネル３５を取り外した天井板３３の開口を介して、ユニットケース１１から、熱交換室側底板１３Ａ、ドレンパン７０、及び、配管押さえ６８を取り外して、ユニットケース１１の下部に室内熱交換ユニット８０を下方に取り外すための開口を設ける。
ドレンパン７０に接続されたドレン排水管７７は、側板１４Ａに形成された下方に開口する配管用切欠き１９に嵌合するドレン配管押さえ７６を介してユニットケース１１の外部に突出するため、ドレンパン７０をユニット本体１０から取り外す際には、ドレン配管押さえ７６と、ドレン配管押さえ７６に貫通するドレン排水管７７とを、ドレンパン７０とともに、ユニットケース１１の底板１３を取り外した下方開口部４０から取り外すことができる。
【００４７】
続いて、ユニットケース１１に室内熱交換ユニット８０を固定しているねじ４を取り外す。詳述すると、ねじ孔６４Ｂ、ねじ孔６９Ａに螺合されているねじ４をユニットケース１１の外側から取り外すと共に、ねじ孔６４Ａ、ねじ孔６９Ｂに螺合されているねじ４をユニットケース１１の内側から取り外す。こうして、室内熱交換ユニット８０は、熱交換室Ｒ２の下方開口部４０を介してユニットケース１１の下方に一体に引き出してユニット本体１０から取り外すことができる。この構成によれば、室内熱交換ユニット８０を、天井パネル３５を取り外して、被調和室２側から容易に取り外すことができるため、作業スペースの限られた天井裏空間３４内での作業を減らすことができ、室内熱交換器６０のメンテナンス性を向上することができる。
【００４８】
側板１４Ａにはまた、配管押さえ６８の近傍にポンプユニット７５が取り付けられている。ポンプユニット７５は、図１１に示すように、ドレンポンプ７８と、ドレンポンプ７８が固定される固定具７９とを一体に備える。固定具７９は、ドレンポンプ７８が固定されるポンプ固定部７９Ａと、側板１４Ａに形成されるポンプユニット７５を取り付けるためのポンプ取付用開口７５Ａを塞ぐ蓋部７９Ｂと、が樹脂で一体に成形されている。ドレンポンプ７８と、蓋部７９Ｂとの間には、ドレンポンプ７８がドレンパン７０から吸い上げた水をユニットケース１１外に排水するための排水管７６が接続されている。
【００４９】
ポンプユニット７５は、ドレンポンプ７８と、固定具７９とを一体に、側板１４Ａから着脱自在に備えられ、蓋部７９Ｂを側板１４Ａにねじ等で固定されている。これにより、ドレンポンプ７８は、ポンプユニット７５と一体に容易にユニットケース１１から取り外すことができ、室内熱交換器６０に補助冷媒管６７に接続した配管施工後でも、ポンプユニット７５をユニットケース１１から取り外すことができ、ドレンポンプ７８のメンテナンスを容易に行うことができる。
【００５０】
以上説明したように、本発明を適用した実施形態によれば、ユニット本体１０の内側を、仕切板５５により、熱交換器６０を収容する熱交換室Ｒ２と、送風ファン５０を収容する送風室Ｒ１とに仕切り、送風ファン５０で吸い込んだ空気を、熱交換器６０で熱交換して吹き出すビルトイン型空気調和装置１において、熱交換器６０の下面のドレンパン７０を底板１３で覆い、底板１３には、ユニット本体１０の長手方向に延出し、ドレンパン７０に当接して、当該ドレンパン７０を下方から押し上げて支持するビード７１，７２を設けたため、ビード７１，７２によって底板１３の強度が向上され底板１３の変形を防止することができるとともに、ビード７１，７２がドレンパン７０をユニット本体１０の内側に固定する補助的役割を果たし、ドレンパン７０が熱交換室Ｒ２の１次側室６５Ａ側の静圧によって下方に押し下げられるのを防止することができる。これにより、ドレンパン７０に当接する熱交換器６０が、ドレンパン７０が下方に押し下げられることで、ドレンパン７０から浮き上がった状態となり、ドレンパン７０と、熱交換器６０の下端部６２Ｃとの間隙から１次側室６５Ａの空気が２次側室６５Ｂに流れ込むことがなく、熱交換器６０の熱交換効率が低下するのを防止することができる。
【００５１】
また、本発明を適用した実施形態によれば、ビード７１，７２が、仕切板５５と熱交換器６０との間の下方に位置するため、静圧が高くなる仕切板５５と熱交換器６０との間の１次側室６５Ａの下方にビード７１，７２を設けて、１次側室６５Ａの静圧によってドレンパンが下方に押し下げられるのを効果的に防止することができる。
【００５２】
また、本発明を適用した実施形態によれば、ビード７１，７２が、熱交換器６０とドレンパン７０との当接部７３の下方に位置する第１ビード７１を含み、ドレンパン７０が、該第１ビード７１と熱交換器６０間に挟持されるため、当接部７３に対してドレンパンを下方から押し上げて支持することができ、１次側室６５Ａ内の高い静圧によって、ドレンパン７０が下方に押し下げられて、ドレンパン７０から熱交換器６０が浮いた状態になるのを防ぐことができる。これにより、ドレンパン７０と、熱交換器６０の下端部６２Ｃとの間隙から１次側室６５Ａの空気が２次側室６５Ｂに流れ込むのを防止し、熱交換器６０の熱交換効率が低下するのを防止することができる。
【００５３】
また、本発明を適用した実施形態によれば、ビード７１，７２が、仕切板５５とドレンパン７０との当接部の近傍の下方に位置する第２ビード７２を含み、該第２ビード７２に対向して、仕切板５５にドレンパン７０の側面上端７０Ａが当接する位置決め板７４Ａを設け、ドレンパン７０が、該第２ビード７２と位置決め板７４Ａ間に挟持されるため、第２ビード７２で、位置決め板７４Ａに対してドレンパン７０の側面上端７０Ａを下方から押し上げて、ドレンパンを支持することができ、１次側室６５Ａ内の高い静圧によって、ドレンパン７０が下方に押し下げられるのを防止することができる。
【００５４】
また、本発明を適用した実施形態によれば、熱交換器６０が側面視で略くの字に連結される上側熱交換部６１及び下側熱交換部６２を含み、くの字の頂点に対向させて送風ファン５０の吹き出し口５０Ｄを設けたため、ユニットケース１１を高さ寸法を変えることなく、熱交換器６０の容量（熱交換面積）を大きくすることができる。
【００５５】
また、本発明を適用した実施形態によれば、送風ファン５０は遠心送風機であるシロッコファンであるため、大きな静圧を得ることができ、送風ファン５０の下流に室内熱交換器６０、及び、天井板３３まで延びる比較的長い吹出ダクト５４を備えた構成のビルトイン型空気調和装置であっても、大きな送風量を得ることができる。
【符号の説明】
【００５６】
１  ビルトイン型空気調和装置
Ｒ１  送風室
Ｒ２  熱交換室
１０  ユニット本体
１３  底板
１３Ａ  熱交換室側底板
１３Ｂ  送風室側底板
２５  溝
５０  送風ファン
５５  仕切板
６０  室内熱交換器（熱交換器）
６１  上側熱交換部
６２  下側熱交換部
７０  ドレンパン
７０Ａ  側面上端
７１  第１ビード（ビード）
７２  第２ビード（ビード）
７３  当接部
７４Ａ  位置決め板
【図１】
0005884069.tif 000002
【図２】
0005884069.tif 000003
【図３】
0005884069.tif 000004
【図４】
0005884069.tif 000005
【図５】
0005884069.tif 000006
【図６】
0005884069.tif 000007
【図７】
0005884069.tif 000008
【図８】
0005884069.tif 000009
【図９】
0005884069.tif 000010
【図１０】
0005884069.tif 000011
【図１１】
0005884069.tif 000012